(57)【要約】【課題】  本発明は、外力が加わっても、底部において隙間が生じ難く、ワンタッチで底部が起立し得るケースを提供する。【解決手段】  厚み１８０μｍ以上のシート材で形成され、前面２と、後面３と、底面６と、を有し、前面２と後面３の両側辺部が、第１側部折り罫線７１及び第２側部折り罫線７２を介して連設され、前面２の下辺部と底面６の前辺部及び後面３の下辺部と底面６の後辺部が、前方折り罫線７３及び後方折り罫線７４を介して連設され、底面６の面内には、中間折り罫線７６が形成され、前方折り罫線７３及び後方折り罫線７４において底面６を谷折りし、且つ間折り罫線７６において底面６を山折りして、底面６が前面２と後面３の間に折り込まれており、中間折り罫線７６と前方折り罫線７３の間及び中間折り罫線７６と後方折り罫線７４の間における底面６の面内には、第１傾斜折り罫線７７及び第２傾斜折り罫線７８が形成されている。【選択図】  図６
2010116183.tif 000002
【特許請求の範囲】
【請求項１】
厚み１８０μｍ以上のシート材を組み立てた折り畳み可能なケースであって、
前面と、前記前面に対向配置された後面と、前記前面及び前記後面の下方側に配置された底面と、を有し、
前記前面の一方の側辺部と前記後面の一方の側辺部が、第１側部折り罫線を介して連設され、且つ前記前面の他方の側辺部と前記後面の他方の側辺部が、第２側部折り罫線を介して連設されており、
前記前面の下辺部と前記底面の前辺部が、前方折り罫線を介して連設され、且つ前記後面の下辺部と前記底面の後辺部が、後方折り罫線を介して連設されており、
前記底面の面内には、前記底面を２分するように中間折り罫線が形成されており、前記前方折り罫線及び後方折り罫線において前記底面を前面及び後面に対して谷折りし、且つ前記中間折り罫線において前記底面を山折りすることにより、前記底面が前面と後面の間に折り込まれており、
前記中間折り罫線と前記前方折り罫線の間における前記底面の面内には、前記中間折り罫線の両端部又は該両端部の近傍から前方折り罫線側に向けて傾斜した部分を有する第１傾斜折り罫線が形成され、
前記中間折り罫線と前記後方折り罫線の間における前記底面の面内には、前記中間折り罫線の両端部又は該両端部の近傍から後方折り罫線側に向けて傾斜した部分を有する第２傾斜折り罫線が形成されていることを特徴とするケース。
【請求項２】
前記前面の下辺部又は前記底面の前辺部には、下方に向かって突出した脚部が形成されている請求項１に記載のケース。
【発明の詳細な説明】
【技術分野】
【０００１】
本発明は、略扁平状に折り畳み可能で、且つワンタッチで起立させることができるケースに関する。
【背景技術】
【０００２】
従来、合成樹脂製シートや厚紙などのシート材を組み立てたケースは、様々な形態のものが知られている。
かかるケースの１つの形態として、不使用時に略扁平状に折り畳むことができ、使用時（ケース内に物品を収納する時）に箱状に形成できるケースが知られている。
【０００３】
例えば、特許文献１には、両側部分が互いに接続される２つの側板で形成された本体と、本体の上方側に設けられる蓋片と、本体の下方側に設けられる底板と、を有し、側板に仕切板が折り返し可能に形成され、仕切板は、２つの側板間に配置され、仕切板に切目が形成され、切目の内側部分に底板及び接着片が形成され、接着片を側板に接着するとともに、底板を２つの側板間に配置することによって、本体の下端側の部分が袴状に形成されているワンタッチスタンドケースが開示されている。
また、特許文献２には、一対の壁部と、前記一対の壁部の端部間を閉塞する閉塞部と、を有し、前記閉塞部が、一対の壁部の端部から延設された一対の延出部で構成され、前記一対の延出部の延出量の合計が、一対の壁部の端縁同士の間隔よりも長く形成されており、前記一対の延出部の先端同士が接続され、且つその接続部位が一対の壁部間に位置しているケースが開示されている。
【特許文献１】特開２００１−２０６６号公報
【特許文献２】特開２００６−７６６４５号公報
【発明の開示】
【発明が解決しようとする課題】
【０００４】
しかしながら、特許文献１のケースは、切目の内側部分で形成された底板と仕切板との間に、隙間を有するという問題点がある。さらに、特許文献２のケースは、２つの側板以外に仕切板が設けられており、この仕切板の接着片を側板の内面に接着しなければならないので、その構造や組み立て作業が複雑である。
一方、特許文献２のケースは、底部をワンタッチで起立させることが困難である。
さらに、特許文献２のケースは、常態において、底部に隙間を殆ど有しないが、ケースに外力が加わったときに、隙間が生じ得るという問題点がある。
具体的には、特許文献２のケースは、一対の壁部の両側端に、内側方向の外力が加わると、第１延出部と第２延出部（一対の壁部の端部間を閉塞する閉塞部を構成する一対の延出部）の間で隙間が生じ得る（この隙間は、特許文献２の図３の符号Ｃの部分に生じる）。
【０００５】
上記のように底部に隙間を有する又は隙間を生じるケースは、該隙間からケース内にゴミなどが入り込むおそれがある。また、悪意者が、前記隙間を通じてケース内に異物を挿入する可能性も否定できない。
特に、収納される物品が医薬品や食品である場合には、その性質上、底部に隙間が生じ難いケースが求められる。
【０００６】
本発明の目的は、外力が加わっても、底部において隙間が生じ難く、ワンタッチで底部が起立し得るケースを提供することである。
【課題を解決するための手段】
【０００７】
本発明のケースは、厚み１８０μｍ以上のシート材を組み立てた折り畳み可能なケースであって、前面と、前記前面に対向配置された後面と、前記前面及び前記後面の下方側に配置された底面と、を有し、前記前面の一方の側辺部と前記後面の一方の側辺部が、第１側部折り罫線を介して連設され、且つ前記前面の他方の側辺部と前記後面の他方の側辺部が、第２側部折り罫線を介して連設されており、前記前面の下辺部と前記底面の前辺部が、前方折り罫線を介して連設され、且つ前記後面の下辺部と前記底面の後辺部が、後方折り罫線を介して連設されており、前記底面の面内には、前記底面を２分するように中間折り罫線が形成されており、前記前方折り罫線及び後方折り罫線において前記底面を前面及び後面に対して谷折りし、且つ前記中間折り罫線において前記底面を山折りすることにより、前記底面が前面と後面の間に折り込まれており、前記中間折り罫線と前記前方折り罫線の間における前記底面の面内には、前記中間折り罫線の両端部又は該両端部の近傍から前方折り罫線側に向けて傾斜した部分を有する第１傾斜折り罫線が形成され、前記中間折り罫線と前記後方折り罫線の間における前記底面の面内には、前記中間折り罫線の両端部又は該両端部の近傍から後方折り罫線側に向けて傾斜した部分を有する第２傾斜折り罫線が形成されている。
【０００８】
上記ケースは、使用に際して、前面及び後面の両側辺部を内側に押圧することによって、前面及び後面が円弧面状となって外側へ膨らむ。同時に、その押圧力と前面及び後面が外側へ膨らむ際に生じる引張り力とが、前面と後面の間に折り込まれていた底面に作用し、底面の一部分が、第１傾斜折り罫線及び第２傾斜折り罫線において略直角状に折れ曲がると共に、中間折り罫線において山折りされていた部分が略平坦状となる。
従って、上記底面のうち、第１傾斜折り罫線及び第２傾斜折り罫線で囲われた領域が、両傾斜折り罫線に従って略円弧面状に起立し、前記領域によってケースの底部が形成される。
このように、前面及び後面の両側辺部を押圧することによって上記底部を形成できるので、上記ケースは、ワンタッチで箱状に立ち上げることができる。
上記底部（略円弧面状に起立した領域）は、前面と後面を押し拡げて両者間に介在するので、前記底部の周縁が、前面と後面の内側にそれぞれ密着する。このため、底部において隙間が生じないケースが得られる。また、前面及び後面の両側辺部を押圧することによって上記底部を形成するので、前記両側辺部に外力が加わっても、底部において隙間が生じ難いケースを提供できる。
【０００９】
本発明の好ましいケースは、上記前面の下辺部又は前記底面の前辺部には、下方に向かって突出した脚部が形成されている。
かかる脚部を有するケースは、自立安定性に優れている。更に、該ケースは、陳列棚の載置面に対して、僅かに傾斜した状態で自立させることができるので、陳列時、ケースが消費者の目に止まりやすくなる（所謂、アイキャッチ性に優れる）。
【発明の効果】
【００１０】
本発明に係るケースは、底部において隙間を生じにくい。このため、本発明のケースは、その内部にゴミなどの異物が入り込み難く、医薬品や食品の包装用ケースとして好適である。
また、本発明のケースは、略扁平状に折り畳むことができるので、保管・運搬に優れ、略扁平状の状態からワンタッチで箱状に形成することができる。
【発明を実施するための最良の形態】
【００１１】
以下、本発明の好ましい実施形態について、図面を参照しつつ具体的に説明する。なお、各部の用語の接頭語として、第１、第２などを付す場合があるが、該接頭語は、用語を区別するために付加されるものであり、各部の順序や優劣などを意味しない。また、方向を示す用語として「上下」や「前後」は、本発明のケースを、底面を下に向けて自立させた状態を基準にしている。
【００１２】
図１〜図６に於いて、１は、シート材を組み立てて形成され、且つワンタッチで底部が形成されるケースを示す。
該ケース１は、前面２、後面３及び底面６で囲われた空間内に、物品を収納するための収納部が形成されている。
また、ケース１の上方には、物品を出し入れするための開口部が形成されている。該開口部は、蓋面５によって開閉される。
【００１３】
該ケース１は、図９に示すような扁平状に折り畳むことができる。略扁平状に折り畳まれたケース１は、前面２と後面３の両側辺部から内側方向（両側辺部が互いに近づく方向）に押圧することにより、箱状に立ち上げることができる。
【００１４】
ケース１を形成するシート材としては、特に限定されず、従来公知のシートを用いることができる。
シート材として余りに軟らかいものを用いると、略扁平状に折り畳まれたケース１の前面２及び後面３の両側辺部を押し込んでも、該ケース１が箱状に立ち上がり難い。これを考慮すると、シート材の厚みは、１８０μｍ以上であり、好ましくは２００μｍ以上であり、より好ましくは２５０μｍ以上である。
一方、シート材として余りに硬いものを用いると、略扁平状に折り畳まれたケース１の前面２及び後面３の両側辺部を押し込んでも、該ケース１が箱状に立ち上がらない。これを考慮すると、シート材の厚みは、好ましくは１．５ｍｍ以下であり、より好ましくは１．０ｍｍ以下である。
【００１５】
上記シート材は、その圧縮強度が１００Ｎ以上のものが好ましく、１８０Ｎ以上がより好ましく、２２０Ｎ以上が特に好ましい。一方、上記シート材の圧縮強度は、１０００Ｎ以下が好ましく、８００Ｎ以下がより好ましい。
かかる圧縮強度を有するシート材は、略扁平状に折り畳まれたケース１の前面２及び後面３の両側辺部を押し込んだときに、該ケース１を簡単に箱状に立ち上げることができる。
【００１６】
ただし、上記圧縮強度は、ＪＩＳ  Ｐ  ８１２６（リングクラッシュ法）に準拠して測定された値である。
測定装置：島津製作所（株）製のオートグラフ（ＡＧＳ−５０Ｇ：ロードセルタイプ５００Ｎ）
速度：１０ｍｍ／ｍｉｎ．
温度・湿度：２４℃、６４％
サンプルサイズ：１２．５ｍｍ（ＴＤ方向）×１５２．５ｍｍ（ＭＤ方向）
サンプル数：６（６個のサンプルの平均値）
【００１７】
該シート材としては、例えば、合成樹脂シート、金属蒸着層を有する合成樹脂シート、及び、合成樹脂シートと他の機能層との積層シートなどが挙げられる。好ましくは、シート材は、合成樹脂シートが用いられる。
合成樹脂シートとしては、異種又は同種の合成樹脂シートが２層以上積層された多層の合成樹脂シート、及び、単層の合成樹脂シートなどが挙げられる。より好ましくは、シート材は、単層の合成樹脂シートが用いられる。
合成樹脂シートの材質としては、例えば、ポリプロピレン、ポリエチレンなどのポリオレフィン系、ポリエチレンテレフタレートなどのポリエステル系、ポリスチレン系、ポリアミド系などが挙げられる。中でも、曲げ特性に優れているので、ポリプロピレン系の合成樹脂シートが好ましい。
【００１８】
また、上記シート材は、透明性に優れていることが好ましい。透明性に優れたシート材は、その全光線透過率が７０％以上が好ましく、より好ましくは８０％以上であり、特に好ましくは９０％以上である。ただし、全光線透過率は、ＪＩＳ Ｋ７１０５（プラスチックの光学的特性試験方法）に準拠した測定法によって測定される値をいう。
【００１９】
上記透明性に優れたシート材は、無色であることが好ましいが、透明性を損なわない範囲で着色されていてもよい。また、シート材には、必要に応じて、所望の意匠印刷が施されていてもよい。
【００２０】
本実施形態のケース１は、図１〜図６に示すように、前面２と、前面２に対向配置された後面３と、前面２と後面３の上方側に配置された蓋面５と、前面２と後面３の下方側に配置された底面６と、を有し、これら前面２、後面３、蓋面５及び底面６は、１枚のシート材から形成されている。
下方側に配置された底面６の中間領域は、略円弧面状となっており、前面２と後面３に対して略直角に起立している。この底面６の中間領域が、ケース１の底部を構成している。該ケース１は、前面２、後面３及び底部で囲われた空間内に、物品を収納できる。
【００２１】
なお、ケース１の展開シートを、図７に示す。この展開シートを組み立てることにより、本発明のケース１が得られる。図７の展開シートに付された符号は、ケース１の各部に対応している。なお、図７の展開シートにおいて、ケース１の各折り罫線を一点鎖線で表す（他図の展開シートも同様）。また、図３において、折り曲げられていない折り罫線を一点鎖線で表す。
【００２２】
より具体的に説明すると、前面２及び後面３は、実質的に同形同大の平面視略矩形状に形成されている。
また、底面６の幅（中間折り罫線の延びる方向）は、前面２及び後面３の幅と略同じ長さである。
底面６の奥行き（前記幅に対して直交する方向）は、適宜設定される。底面６の奥行きを長くすると、ケース１を箱状に立ち上げたときに形成される底部の位置が、ケース１の上方側へ近づいていき、物品の収納空間が狭くなる。この点を考慮して、底面６の奥行きの長さは設定される。
【００２３】
上記前面２の一方の側辺部と後面３の一方の側辺部は、第１側部折り罫線７１を介して連設され、且つ前面２の他方の側辺部と後面３の他方の側辺部は、第２側部折り罫線７２を介して連設されている。
また、上記前面２の下辺部と底面６の前辺部は、前方折り罫線７３を介して連設され、且つ後面３の下辺部と底面６の後辺部は、後方折り罫線７４を介して連設されている。
さらに、上記前面２の上辺部と蓋面５の基辺部は、蓋折り罫線７５を介して連設されている。
【００２４】
なお、シート材からなるケース１は、前面２の両方の側辺部から延設された糊代片２１，２１をそれぞれ、後面３の両側部に接着することによって形成されている。
ここで、本発明において、第１側部折り罫線７１などの各折り罫線は、特に限定されない。各折り罫線は、それぞれ独立して、例えば、シート材の厚み方向に断面略Ｖ字状に切り込んだＶノッチ線（ハーフカット線とも呼ばれる）、ミシン目線などが挙げられる。好ましくは、各折り罫線は、Ｖノッチ線が用いられる。
【００２５】
上記底面６の面内には、底面６を２分するように中間折り罫線７６が形成されている。この中間折り罫線７６は、前方折り罫線７３及び後方折り罫線７４の延びる方向と略平行な方向となるように形成されている。さらに、中間折り罫線７６は、底面６を２等分するように、底面６の略中央に形成されていることが好ましい。すなわち、中間折り罫線７６と前方折り罫線７３との間隔と、中間折り罫線７６と後方折り罫線７４との間隔とが、略等しい。
【００２６】
中間折り罫線７６は、その一方の端部及び他方の端部が、底面６の一方の側辺部から他方の側辺部にまで（すなわち、底面６の幅全体にかけて）形成されている。
ただし、中間折り罫線７６は、底面６の幅全体にかけて形成されている場合に限られない。例えば、中間折り罫線７６の一方の端部（及び／又は他方の端部）が、底面６の一方の側辺部（及び／又は他方の側辺部）よりも少し内側へ寄った位置（近傍位置）であってもよい。
【００２７】
さらに、底面６の面内であって、中間折り罫線７６と前方折り罫線７３の間には、前方折り罫線７３側に向けて傾斜した部分を有する第１傾斜折り罫線７７が形成されている。
この第１傾斜折り罫線７７は、その一方の端部及び他方の端部が、中間折り罫線７６の一方の端部及び他方の端部（両端部）に接続されている。
第１傾斜折り罫線７７は、図７に示すように、その一方の端部から前方折り罫線７３側に向けて内側傾斜状（中間折り罫線７６に対して鋭角となる傾斜状）に延びる左傾斜部分７７１と、その他方の端部から前方折り罫線７３側に向けて内側傾斜状（中間折り罫線７６に対して鋭角となる傾斜状）に延びる右傾斜部分７７２と、左傾斜部分７７１及び右傾斜部分７７２の先端部間に形成された接続部分７７３と、からなる。
左傾斜部分７７１、右傾斜部分７７２及び接続部分７７３は、何れも、直線状に形成されている。
左傾斜部分７７１と右傾斜部分７７２の傾斜角度は、略同一であることが好ましいが、少しの差があってもよい。
また、接続部分７７３は、前方折り罫線７３の延びる方向と略平行な方向に延びているが、接続部分７７３は、前方折り罫線７３に対して少し傾斜状に延びていてもよい。
【００２８】
また、底面６の面内であって、中間折り罫線７６と後方折り罫線７４の間には、後方折り罫線７４側に向けて傾斜した部分を有する第２傾斜折り罫線７８が形成されている。
この第２傾斜折り罫線７８は、その一方の端部及び他方の端部が、中間折り罫線７６の一方の端部及び他方の端部（両端部）に接続されている。
第２傾斜折り罫線７８は、その一方の端部から後方折り罫線７４側に向けて内側傾斜状（中間折り罫線７６に対して鋭角となる傾斜状）に延びる左傾斜部分７８１と、その他方の端部から後方折り罫線７４側に向けて内側傾斜状（中間折り罫線７６に対して鋭角となる傾斜状）に延びる右傾斜部分７８２と、左傾斜部分７８１及び右傾斜部分７８２の先端部間に形成された接続部分７８３と、からなる。
左傾斜部分７８１、右傾斜部分７８２及び接続部分７８３は、何れも、直線状に形成されている。
左傾斜部分７８１と右傾斜部分７８２の傾斜角度は、略同一であることが好ましいが、少しの差があってもよい。
また、接続部分７８３は、後方折り罫線７４の延びる方向と略平行な方向に延びているが、接続部分７８３は、後方折り罫線７４に対して少し傾斜状に延びていてもよい。
【００２９】
上記第１傾斜折り罫線７７及び第２傾斜折り罫線７８は、中間折り罫線７６を対称軸とする、線対称の関係に形成されていることが好ましい。
【００３０】
第１傾斜折り罫線７７の傾斜角度（左傾斜部分７７１及び／又は右傾斜部分７７２の傾斜角度）及び第２傾斜折り罫線７８の傾斜角度（左傾斜部分７８１及び／又は右傾斜部分７８２の傾斜角度）は、それぞれ１０度〜４５度の範囲が好ましく、更に、１５度〜３５度の範囲がより好ましい。この傾斜角度が小さ過ぎると、ケース１を箱状に立ち上げた際に形成される底部の面積が小さくなり過ぎて好ましくない。一方、この傾斜角度が大き過ぎると、扁平状のケース１の前面２及び後面３の両側辺部を押圧しても、底部を形成すること（第１傾斜折り罫線７７及び第２傾斜折り罫線７８で囲われた領域を起立させること）が困難となる。
【００３１】
箱状に起立させたケース１は、図１〜図６に示すように、中央部が円弧面状に外側へ膨らんだ前面２及び後面３と、底面６の一部分が前面２及び後面３に対して略直角状に起立した底部と、を有する。
具体的には、底面６のうち、前方折り罫線７３と第１傾斜折り罫線７７で囲われた領域（図６の符号Ａで示す領域）は、円弧面状に膨らんだ前面２の内側に面して接している。
底面６のうち、後方折り罫線７４と第２傾斜折り罫線７８で囲われた領域（図６の符号Ｂで示す領域）は、円弧面状に膨らんだ後面３の内側に面して接している。
底面６のうち、第１傾斜折り罫線７７及び第２傾斜折り罫線７８に囲われた領域（図６の符号Ｃで示す領域）は、第１傾斜折り罫線７７などの傾斜に従い、断面弓形の略円弧面状となっている。この略円弧面状に起立した領域Ｃ（底部）は、前面２及び後面３に対して略直交し、前面２及び外面３を外側へ押し拡げるように、両者間に介在している。
【００３２】
この領域Ｃの周縁は、第１傾斜折り罫線７７及び第２折り罫線７８と一致するため、領域Ｃの周縁は、前面２及び後面３の内側に接している。特に、上記領域Ｃは、前面２及び外面３を外側へ押し拡げるように両者間に介在しているので、領域Ｃの周縁は、前面２及び後面３の内側に強く接している。
このため、例えば、箱状のケース１に外力が加わっても、上記領域Ｃ（底部）の周縁と前面２及び後面３との間に、隙間が生じ難い。
【００３３】
一方、前面２の下辺部には、下方に向かって突出した脚部８が形成されている。この脚部８は、前面２の下辺部の略中央部から突設されている。前面２の下辺部の略中央部から底面６側へ膨らむ、平面視略コ字状の切り目８１を形成することにより、この切り目８１で切り抜かれた部分が、脚部８を構成する。
【００３４】
ただし、脚部８は、底面６の前辺部から突出するように形成されていてもよい。この場合には、上記切り目８１を、底面６の前辺部から前面２側へ膨らむように形成すればよい。
なお、脚部８は、上記のように前面２の下辺部及び／又は底面６の前辺部の中央部から突設されている場合に限られない。例えば、脚部８は、前面２の下辺部及び／又は底面６の前辺部から、所定間隔を開けて、２ヶ所以上形成されていてもよい。
【００３５】
このように脚部８を形成することにより、自立安定性に優れたケース１を提供できる。具体的には、本発明のケース１は、物品を収納すべく箱状に起立させたとき、底部が舟形状になるため、前面２及び後面３の下辺部の中央部が僅かに湾曲する。このように湾曲すると、ケース１を載置面に置いたときに揺れやすいが、上記脚部８が突設されていると、ケース１を自立させたときに揺れ難くなる。
さらに、図４及び図６に示すように、脚部８によって、ケース１は、載置面Ｘに対して僅かに傾斜した状態で自立する。このため、陳列時、消費者の目に止まりやすいケース１を構成できる。
【００３６】
なお、９１は、後面３の面内に形成された差込み用切り目を示す。この差込み用切り目９１に、蓋面５の先端部に形成された差込み部５１を係入することにより、ケース１の上方開口部を塞ぐ蓋面５が係止される。
また、５２は、吊下げ孔が穿設された吊下げ用片を示す。この吊下げ用片５２は、蓋面５の面内に形成された、下側へ膨らむ略Ｕ字状の切り目で区画された領域で構成されている。
【００３７】
上記ケース１は、不使用時には、図９に示すように、扁平状に形成されている。
ケース１は、略扁平状の状態で、保管・運搬に供される。
【００３８】
かかる略扁平状のケース１は、下記のような構成からなる。
上記前面２の一方の側辺部と後面３の一方の側辺部が、第１側部折り罫線７１を介して連設され、且つ前面２の他方の側辺部と後面３の他方の側辺部が、第２側部折り罫線７２を介して連設されており、連設された前面２及び後面３は、平坦状で対向配置され（内面同士が重なるように）、第１側部折り罫線７１及び第２側部折り罫線７２において山折りされている。
【００３９】
底面６は、前方折り罫線７３及び後方折り罫線７４において前面２及び後面３に対して谷折りし、且つ中間折り罫線７６において底面６自体を山折りすることにより、重ね合わされた前面２と後面３の間に折り込まれている。
【００４０】
かかる略扁平状のケース１は、例えば、次の方法によって製造できる。
１枚のシート材から、図７に示す形状の展開シートを形成する。
図８（ａ）に示すように、この展開シートの前方折り罫線７３及び中間折り罫線７６において、前面２上に重なるように底面６を折り曲げる。
次に、同図（ｂ）に示すように、後方折り罫線７４において、前面２及び底面６上に重なるように後面３を折り曲げる。
最後に、同図（ｃ）に示すように、第１側部折り罫線７１及び第２側部折り罫線７２において、糊代片２１，２１をそれぞれ折り曲げ、糊代片２１，２１を後面３の両側部に接着する。
このようにして、図８（ｃ）及び図９に示すように、略扁平状に折り畳まれたケース１を得ることができる。
【００４１】
上記略扁平状のケース１は、使用時、箱状に立ち上げられる。
上記略扁平状のケース１の前面２及び後面３の両側辺部（換言すると、第１及び第２側部折り罫線７１，７２の一部分）を内側に押圧すると、その押圧力によって前面２及び後面３の中央部が円弧面状に起立する。同時に、その押圧力及び前面２及び後面３が外側へ膨らむ際に生じる引張り力が、前面２と後面３の間に折り込まれていた底面６に作用し、底面６の一部分が、第１傾斜折り罫線７７及び第２傾斜折り罫線７８において略直角状に折れ曲がると共に、中間折り罫線７６において山折りされていた部分が略平坦状となる。
よって、底面６のうち、第１傾斜折り罫線７７及び第２傾斜折り罫線７８で囲われた領域が、両傾斜折り罫線７７，７８に従って略円弧面状に起立して底部が形成される。このようにして物品を収納可能な箱状のケース１を形成できる。
【００４２】
上記ケース１は、略扁平状に折り畳むことができるので、保管・流通時、嵩張ることがない。
また、該ケース１は、上述のように、前面２及び後面３の両側辺部を押圧するだけで底部を形成できるので、略扁平状の状態からワンタッチで箱状に形成できる。
このようにワンタッチでケース１を箱状に形成できるのは、対向配置された前面２及び後面３が、連設部分である第１側部折り罫線７１及び第２側部折り罫線７２で山折りされているからである。
【００４３】
例えば、前面と後面を重ね合わせ、両者の一方の側辺部の内面同士（重ね合わせ面）及び他方の側辺部の内面同士を所定幅帯状に接着することによって、前面と後面を連設させることも可能である。
しかしながら、この場合には、前面及び後面の両側辺部を押圧したときに、底面を良好に起立させることが困難である。すなわち、前面及び後面の両側辺部を押圧したときに、前記帯状の接着部分が折れ曲がるため、その押圧力が底面に作用し難い。このため、この場合には、略扁平状のケースをワンタッチで箱状に形成させることが困難である。
【００４４】
この点、本発明のケース１は、上記のように、前面２及び後面３が第１側部折り罫線７１及び第２側部折り罫線７２で山折りされて連設されているので、押圧力によって前面２及び後面３が外側へ膨らむとと同時に、底面６の第１傾斜折り罫線７７及び第２傾斜折り罫線７８で囲われた領域が、略円弧面状に起立する。
【００４５】
上記ケース１の底部（略円弧面状に起立した領域）は、前面２と後面３を押し拡げて両者間に介在するので、前記底部の周縁が、前面と後面の内側にそれぞれ密着している。このため、上記ケース１は、底部において隙間が生じない。さらに、このケース１は、前面２及び後面３の両側辺部を押圧することによって上記底部を形成するので、前記両側辺部に外力が加わっても、底部において隙間が生じ難い。
【００４６】
上記ケース１内に収納される物品は、特に限定されず、ケース１内には様々な物品を収納可能である。特に、本発明のケース１は、底部に隙間が生じ難いことから、医薬品（分包タイプ、カプセルタイプなど）、菓子などの食品などを収納するケースとして好適である。
【００４７】
次に、本発明のケース１の他の実施形態を示す。
上記実施形態では、第１傾斜折り罫線７７の左傾斜部分７７１、右傾斜部分７７２及び接続部分７７３は、何れも直線状に形成されているが、例えば、図１０（ａ）に示すように、これらが弧状に形成されていてもよい。この場合、第１傾斜折り罫線７７は、全体として円弧状となる。第２傾斜折り罫線７８の左傾斜部分７８１、右傾斜部分７８２及び接続部分７８３も同様に、弧状に形成されていてもよい。
【００４８】
また、上記実施形態では、第１傾斜折り罫線７７の左傾斜部分７７１及び右傾斜部分７７２の形成長さが、接続部分７７３の形成長さに比して長いが、例えば、図１０（ｂ）に示すように、接続部分７７３の方が長くてもよい。第２傾斜折り罫線７８についても同様に、接続部分７８３の方が長くてもよい。
【００４９】
さらに、上記実施形態では、第１傾斜折り罫線７７は、左傾斜部分７７１、右傾斜部分７７２及び接続部分７７３からなるが、例えば、第１傾斜折り罫線７７は、左傾斜部分７７１及び右傾斜部分７７２のみから構成されていてもよい。第２傾斜折り罫線７８も同様に、左傾斜部分７８１及び右傾斜部分７８２のみから構成されていてもよい。
【００５０】
上記実施形態では、第１傾斜折り罫線７７の一方の端部及び他方の端部が、中間折り罫線７６の一方の端部及び他方の端部（両端部）に接続されているが、これに限定されず、第１傾斜折り罫線７７の一方の端部及び／又は他方の端部が、中間折り罫線７６の一方の端部の近傍及び／又は他方の端部の近傍に位置していてもよい。
第２傾斜折り罫線７８についても同様に、第２傾斜折り罫線７８の一方の端部及び／又は他方の端部が、中間折り罫線７６の一方の端部の近傍及び／又は他方の端部の近傍に位置していてもよい。
【００５１】
また、ケースを構成する展開シートは、図７に示した態様に限られず、本発明の意図する範囲で、様々な態様に変形できる。例えば、図１１に示す展開シートのように、前面２の一方の側辺部と後面３の一方の側辺部が繋がっており、前面２及び後面３の他方の側辺部を連設するため、前面２の他方の側辺部から糊代片２１が延設されていてもよい。この展開シートの場合、底面６の後辺部と後面３の下辺部を連設させるため、例えば、後面３の下辺部又は底面６の後辺部から糊代片２２が延設される。
【図面の簡単な説明】
【００５２】
【図１】本発明のケースの１つの実施形態を示す後面側から見た斜視図。
【図２】同ケースの前面側から見た斜視図。
【図３】同ケースの開蓋状態における後面側から見た斜視図。
【図４】同ケースの側面図。
【図５】同ケースの底面図。
【図６】図１のＡ−Ａ線断面図。
【図７】同ケースを構成する展開シートの平面図。
【図８】同ケースの作製手順を示す平面図。
【図９】同ケースを略扁平状にした状態を示す底面図。
【図１０】同ケースを構成する展開シートの他の実施形態を示す平面図。
【図１１】他の実施形態のケースを構成する展開シートの平面図。
【符号の説明】
【００５３】
１…ケース、２…前面、３…後面、３５…蓋面、６…底面、７１…第１側部折り罫線、７２…第２側部折り罫線、７３…前方折り罫線、７４…後方折り罫線、７６…中間折り罫線、７７…第１傾斜折り罫線、７８…第２傾斜折り罫線、８…脚部
【図１】
2010116183.tif 000003
【図２】
2010116183.tif 000004
【図３】
2010116183.tif 000005
【図４】
2010116183.tif 000006
【図５】
2010116183.tif 000007
【図６】
2010116183.tif 000008
【図７】
2010116183.tif 000009
【図８】
2010116183.tif 000010
【図９】
2010116183.tif 000011
【図１０】
2010116183.tif 000012
【図１１】
2010116183.tif 000013